(57)【特許請求の範囲】
【請求項１】
正の屈折力を有し、少なくとも内面が非球面であり、屈折補正に有効な領域がφ40mm以上である屈折補正用の非球面眼鏡レンズにおいて、
光学中心から内面におろした垂線をｚ軸(外面から内面への向きを正)、内面とｚ軸との交点を通りｚ軸に直交する直線をｈ軸(中心から周辺への向きを正)とし、ｚ軸を含む平面と前記内面との交線のｚ軸からの距離ｈの点における曲率(単位：D)をＣ2(ｈ)とするとき、
ｈ＝０で、Ｃ2(０)＜０、
ｈ＞２０で、０＜Ｃ2(ｈ)＜５
の２つの条件を共に満たすことを特徴とする非球面眼鏡レンズ。
【請求項２】
前記ｚ軸と内面との交点を含むｚ軸に垂直な平面に対する前記内面のサグ量をｚ軸からの距離ｈの関数ｚ2(ｈ)で表すとき、ｚ2(ｈ)がｈの増加に伴って一旦減少し、その後増加し、周辺部で正になることを特徴とする請求項１に記載の非球面眼鏡レンズ。
【請求項３】
前記関数ｚ2(ｈ)の傾きdｚ2(ｈ)/dhがｈの増加に伴って一旦減少し、その後増加し、周辺部で正になることを特徴とする請求項１に記載の眼鏡レンズ。
【発明の詳細な説明】
【０００１】
【発明の属する技術分野】
この発明は、正の屈折力を有し、少なくとも内面が非球面である屈折力補正用の非球面眼鏡レンズに関する。
【０００２】
【従来の技術】
正の屈折力を有する眼鏡レンズの薄型化、すなわち、外面の突出量および中心厚を小さくする目的で、外面または内面の少なくとも一方を非球面とした屈折補正用眼鏡レンズは、特開昭６４−４０９２６号公報(外面非球面、両面非球面の実施例を含む)、特開平２−２８９８１９号公報(外面非球面の実施例を含む)、特開平４−１９５０１９号公報(両面非球面の実施例を含む)、特開平８−５９６７号公報(外面非球面の実施例を含む)、特開平８−６２４９７号公報(内面非球面の実施例を含む)、ＷＯ９７／２６５７８号公報(内面非球面、外面非球面の実施例を含む)、米国特許４，５６１，７３６号(内面非球面の実施例を含む)等に開示されている。
【０００３】
【発明が解決しようとする課題】
しかしながら、特開昭６４−４０９２６号公報に開示される外面非球面レンズ、両面非球面レンズは、薄型化が不十分であり、光学性能も悪い。また、特開平２−２８９８１９号公報、特開平８−５９６７号公報、ＷＯ９７／２６５７８号公報に開示される外面非球面レンズは、浅いベースカーブを用い、曲率が中心から周辺に向けて徐々に緩くなる非球面を外面に用いることにより光学性能を維持しつつ薄型化を図っているが、未だ薄型化が不十分である。
【０００４】
より一層の薄型化を図るためには、ベースカーブをさらに浅くすればよいが、正レンズの場合、ベースカーブを浅くすると、弱くなった外面の屈折力を内面で補う必要があるため、ベースカーブが深い場合には凹面として形成される内面を平面に近い凹面、あるいは凸面にしなければならない。内面、特にその周辺部が平面に近い凹面、あるいは凸面になると、装用時に背後からの光が内面で反射されて眼に入りやすくなり、かつ、反射像が眼の調節可能な視度内にできやすくなる。このような不具合を避けるため、ベースカーブを浅くするにも限度がある。
【０００５】
一方、特開平８−６２４９７号公報、ＷＯ９７／２６５７８号公報に開示される内面非球面レンズは、浅いベースカーブを用い、内面の曲率を中心から周辺に向けて徐々に強くすることにより、光学性能を維持しつつ薄型化を図っているが、未だ薄型化が不十分である。また、このような内面非球面レンズは、凹面である内面の曲率が周辺に向けて強くなるため、外径が大きくなるほど内面の周辺部の眼側への突出量が大きくなり、同じベースカーブを持つ外面非球面レンズよりも薄型化に関して不利である。
【０００６】
特開平４−１９５０１９号公報に記載された発明の両面非球面レンズ(第17図)は、外面・内面の曲率を共に中心から周辺に向けて徐々に緩くすることにより、光学性能を維持しつつ薄型化を図っている。しかしながら、この両面非球面レンズは、内面の曲率が中心部では正であるが、周辺部では負の値となるため、内面の周辺部は凸面となり、装用時に背後からの光が内面で反射されて眼に入りやすい。さらに、内面は、周縁部分より中心側の有効径部分が眼側に突出しているため、内面を下にしてレンズを平面の台に置くと、有効径部分に傷がつきやすいく、取り扱いが難しいという問題がある。
【０００７】
米国特許第４５６１７３６号のFig.４，Fig.５に開示される正の屈折力を持つ眼鏡レンズは、その内面が非球面であり、内面の中央部の曲率を負、周辺部の曲率を正にすることにより、光学性能を維持しつつ薄型化を図っている。しかしながら、これらのレンズで屈折補正に有効なのは変曲点より内側の曲率が負の領域、すなわち、中央の凸面部分のみであり、充分な視野を確保することができないという問題がある。
【０００８】
本発明は、上述した従来技術の問題点に鑑みてなされたものであり、正の屈折力を持った眼鏡レンズにおいて、薄型で広い視野範囲にわたって光学性能が良好であり、装用時の背後からの光の内面による反射が問題になりにくく、視野が充分に広い非球面眼鏡レンズを提供することを目的とする。
【０００９】
【課題を解決するための手段】
本発明にかかる非球面眼鏡レンズは、正の屈折力を有し、少なくとも内側の屈折面が非球面であり、屈折補正に有効な領域がφ40mm以上の非球面眼鏡レンズにおいて、光学中心から内面におろした垂線をｚ軸(外面から内面への向きを正)、内面とｚ軸との交点を通りｚ軸に直交する直線をｈ軸(中心から周辺への向きを正)とし、ｚ軸を含む平面と内面との交線のｚ軸からの距離ｈの点における曲率(単位：D)をＣ2(ｈ)とするとき、
ｈ＝０で、Ｃ2(０)＜０、
ｈ＞２０で、０＜Ｃ2(ｈ)＜５
の２つの条件を共に満たすことを特徴とする。
【００１０】
上記の構成によれば、浅いベースカーブを用いて外面の突出量を小さく抑えることができ、かつ、光学性能を良好に保つことができる。また、装用時に背後から入射して内面で反射した光が眼に入りにくくなり、かつ、反射光が眼に入ったとしても、眼の調節可能な視度内に反射像ができにくくなる。
【００１１】
本発明の非球面眼鏡レンズは、ｚ軸と内面との交点を含むｚ軸に垂直な平面に対する内面のサグ量をｚ軸からの距離ｈの関数ｚ2(ｈ)で表すとき、ｚ2(ｈ)がｈの増加に伴って一旦減少し、その後増加し、周辺部で正になるように設定されることが望ましい。
【００１２】
さらに、本発明の非球面眼鏡レンズは、上記の関数ｚ2(ｈ)の微分値dｚ2(ｈ)/dhで表される内面の傾きが、ｈの増加に伴って一旦減少し、その後増加し、周辺部で正になるように設定されることが望ましい。
【００１３】
【発明の実施の形態】
以下、この発明にかかる非球面眼鏡レンズの実施形態、および具体的な設計例である実施例と比較例とを説明する。
【００１４】
実施形態の非球面眼鏡レンズは、例えば図１(Ａ)に断面を示すような正の屈折力を有するレンズであり、外面１、内面２の一対の屈折面を有し、少なくとも内面が非球面である。なお、外面１の光学中心３から内面２におろした垂直をｚ軸(外面から内面への向きを正)、内面２とｚ軸との交点を通りｚ軸に直交する直線をｈ軸(中心から周辺への向きを正)とする。
【００１５】
実施形態の眼鏡レンズは、屈折補正に有効な領域がφ40mm以上であり、ｚ軸を含む平面と内面２との交線のｚ軸からの距離ｈ(単位：mm)の点における曲率(単位：D)をＣ2(ｈ)とするとき、
ｈ＝０で、Ｃ2(０)＜０、
ｈ＞２０で、０＜Ｃ2(ｈ)＜５
の２つの条件を共に満たす。
【００１６】
Ｃ2(０)＜０を満たすことにより、内面２は中心部で凸面となるために正の屈折力を負担することができ、その分外面の曲率を弱くすることができる。したがって、浅いベースカーブを用いることが可能となり、外面の突出量を小さく抑えることができる。また、浅いベースカーブを用いつつ光学性能を良好に保つためには、内面２の曲率を中心から周辺に向かって徐々に大きくする必要がある。このため、ｈ＞２０で０＜Ｃ2(ｈ)を満たすように設定する。ただし、曲率を大きくし過ぎると、かえって光学性能が悪化するため、ｈ＞２０でＣ2(ｈ)＜５を満たす必要がある。また、ｈ＞２０でＣ2(ｈ)＞０を満たすように内面２の周辺部が凹面であるため、装用時に背後から入射して内面２で反射した光が眼に入りにくく、かつ、反射光が眼に入ったとしても眼の調節可能な視度内に反射像ができにくい。
【００１７】
また、実施形態の非球面眼鏡レンズは、ｚ軸と内面２との交点を含むｚ軸に垂直な平面に対する内面２のサグ量をｚ軸からの距離ｈの関数ｚ2(ｈ)で表すとき、ｚ2(ｈ)がｈの増加に伴って一旦減少し、その後増加し、周辺部で正になるように設定されている。
【００１８】
上記のように、内面２の中心部はＣ2(０)＜０を満たすように凸面であるため、サグ量ｚ2(ｈ)は光学中心近傍ではｈの増加に伴って減少する。ただし、周辺部ではＣ2(０)＞０を満たすように凹面であるため、サグ量ｚ2(ｈ)は凹面の頂点から増加に転じる。そして、サグ量ｚ2(ｈ)が周辺部で正になるようにすることで、内面２側では最周辺が最も眼側に突出することになる。したがって、レンズを内面側を下にして平面の台に置いても周縁が台に接することになり、内面の有効径内に傷がつきにくく、取り扱いが容易である。
【００１９】
さらに、実施形態の非球面眼鏡レンズは、上記の関数ｚ2(ｈ)の微分値dｚ2(ｈ)/dhで表される内面２の傾きが、ｈの増加に伴って一旦減少し、その後増加し、周辺部で正になるように設定されている。
【００２０】
上記のように、内面の中心部はＣ2(０)＜０を満たすように凸面であるため、dｚ2(ｈ)/dhは光学中心近傍ではｈの増加に伴って減少する。ただし、周辺部ではＣ2(０)＞０を満たすように凹面であるため傾きdｚ2(ｈ)/dhは凸面と凹面との切り替え部分から増加に転じる。そして、周辺部で正になるようにすることで、装用時に背後から入射して内面で反射した光が眼に入りにくくなる。
【００２１】
次に、頂点屈折力SPHが+4.00Dの非球面眼鏡レンズとして、上記の全条件を満たす実施例１を示し、比較のため実施例１と同等の性能を有し条件を少なくとも一部満たさない比較例１、２を示す。また、頂点屈折力SPHが+6.00Dの眼鏡レンズとして、上記の全条件を満たす実施例２を示し、比較のため実施例２と同等の性能を有し条件を少なくとも一部満たさない比較例３、４を示す。
【００２２】
【実施例１】
図１(Ａ)は、実施例１の眼鏡レンズを示す。実施例１の眼鏡レンズは、外面１が球面、内面２が回転対称非球面である。実施例１の眼鏡レンズの諸元を表１に示す。
【００２３】
【表１】
頂点屈折力[D]          +4.00
外面曲率[D]             5.02
内面近軸曲率[D]        -0.96
中心厚[mm]             4.05
縁厚  [mm]             1.00
外面突出量[mm]         3.10
Ｃ2(0)[D]               -0.956
Ｃ2(h)[D] (20≦h≦35)   1.119〜1.990
ｚ2(35)[mm]            0.044
dz2(35)/dｈ             0.022
【００２４】
図１(Ｂ)〜(Ｅ)は、実施例１の眼鏡レンズの形状、性能を示し、(Ｂ)はｚ軸からの距離ｈと内面２のサグ量ｚ2(h)との関係を示すグラフ、(Ｃ)は距離ｈとサグ量の微分値で表される内面２の傾きdz2(ｈ)/dhとの関係を示すグラフ、(Ｄ)は距離ｈと内面２の曲率Ｃ2(h)との関係を示すグラフ、(Ｅ)は視角β(単位：°)と非点収差ＡＳとの関係を示すグラフである。なお、図１(Ｅ)中の実線は物体距離が無限遠の場合、破線は物体距離が２５cmの場合を示している。
【００２５】
実施例１のレンズは、表１に示すように、Ｃ2(０)＜０、ｈ＞２０で０＜Ｃ2(ｈ)＜５の２つの条件を満たす。また、図１(Ｂ)に示すように、サグ量ｚ2(ｈ)はｈの増加に伴って一旦減少し、その後増加し、周辺部で正の値をとる。さらに、図１(Ｃ)に示すように、内面の傾きdｚ2(ｈ)/dhはｈの増加に伴って一旦減少し、その後増加し、周辺部で正の値をとる。
【００２６】
実施例１のレンズは、図１(Ｅ)に示すように、視角５０°まで非点収差が良好に補正されている。視角５０°は、ｚ軸からの距離ｈ＝３０mmに相当する。
【００２７】
【比較例１】
図２(Ａ)は、比較例１の眼鏡レンズを示す。比較例１の眼鏡レンズは、外面１が回転対称非球面、内面２が球面であり、外面突出量が実施例１と同一で、光学性能(非点収差)が実施例１と同等になるよう設計されている。比較例１の眼鏡レンズの諸元を表２に示す。
【００２８】
【表２】
頂点屈折力[D]          +4.00
外面近軸曲率[D]         6.02
内面曲率[D]             0.06
中心厚[mm]             4.06
縁厚  [mm]             1.00
外面突出量[mm]         3.10
Ｃ2(0)[D]                0.059
Ｃ2(h)[D] (20≦h≦35)    0.059
ｚ2(35)[mm]            0.036
dz2(35)/dｈ             0.002
【００２９】
図２(Ｂ)〜(Ｅ)は、比較例１の眼鏡レンズの形状を示し、(Ｂ)は距離ｈと内面２のサグ量ｚ2(h)との関係を示すグラフ、(Ｃ)は距離ｈと内面２の傾きdz2(ｈ)/dhとの関係を示すグラフ、(Ｄ)は距離ｈと内面２の曲率Ｃ2(h)との関係を示すグラフ、(Ｅ)は距離ｈと外面１の曲率Ｃ1(h)との関係を示すグラフである。
【００３０】
比較例１のレンズは、内面２が緩い凹の球面であるため、表２に示すように、ｈ＞２０で０＜Ｃ2(ｈ)＜５の条件は満たしているが、Ｃ2(０)＜０の条件は満たしてない。また、図２(Ｂ)、(Ｃ)に示すように、サグ量ｚ2(ｈ)と内面の傾きdｚ2(ｈ)/dhとはｈの増加に伴って単調に増加する。
【００３１】
【比較例２】
図３(Ａ)は、比較例２の眼鏡レンズを示す。比較例２の眼鏡レンズは、外面１、内面２の両面が回転対称非球面であり、外面突出量が実施例１と同一で、光学性能(非点収差)が実施例１と同等になるよう設計されている。比較例２の眼鏡レンズの諸元を表３に示す。
【００３２】
【表３】
頂点屈折力[D]          +4.00
外面近軸曲率[D]         6.21
内面近軸曲率[D]         0.26
中心厚[mm]             4.07
縁厚  [mm]             1.00
外面突出量[mm]         3.10
Ｃ2(0)[D]                0.256
Ｃ2(h)[D] (20≦h≦35)   -0.145〜-2.217
ｚ2(35)[mm]            0.027
dz2(35)/dｈ            -0.012
【００３３】
図３(Ｂ)〜(Ｅ)は、比較例２の眼鏡レンズの形状を示すグラフである。各グラフの定義は図２と同様である。比較例２のレンズは、表３に示すように、Ｃ2(０)＜０の条件、ｈ＞２０で０＜Ｃ2(ｈ)＜５の条件をいずれも満たしてない。また、図３(Ｂ)、(Ｃ)に示すように、サグ量ｚ2(ｈ)と内面の傾きdｚ2(ｈ)/dhとはｈの増加に伴って一旦増加し、その後減少している。
【００３４】
同一の頂点屈折力+4.00について同一の外面突出量、光学性能を有する実施例１、比較例１，比較例２のサグ量、内面の傾き、内面の曲率について比較する。
図１(Ｂ)、図２(Ｂ)、図３(Ｂ)に示すように、内面２のサグ量ｚ2(h)は実施例１、比較例１では最も外側で最大値をとるため、内面２を下にして平面の台に置いた場合にも有効径部分に傷がつきにくいが、比較例２のレンズはｈ＝２７の部分で最大値をとるため、内面を下にして置くとこの部分が台に触れ、有効径部分に傷がつきやすい。
【００３５】
また、図１(Ｃ)、図２(Ｃ)、図３(Ｃ)に示すように、内面２の周辺部の傾きは、実施例１が最も大きな値をとるため、実施例１のレンズの装用時には背後から入射して内面２で反射した光が眼に入りにくい。比較例１は傾きが緩いため、実施例１よりは背後からの光が眼に入りやすく、比較例２は傾きが周辺部で負の値をとるため、背後からの光が最も眼に入りやすい。
【００３６】
さらに、図１(Ｄ)、図２(Ｄ)、図３(Ｄ)に示すように、内面２の周辺部の曲率Ｃ2(h)は、実施例１が最も大きな値をとるため、実施例１のレンズの装用時には背後から入射して内面で反射した光が眼に入ったとしても、眼の調節可能な視度内に反射像ができにくい。比較例１も曲率が正の値をとるため、視度範囲内に反射像はできにくい。これに対して、比較例２は周辺部で曲率Ｃ2(h)が負の値をとるため、視度範囲内に反射像ができやすい。なお、中心厚は、実施例１が最も小さい。
【００３７】
【実施例２】
図４(Ａ)は、実施例２の眼鏡レンズを示す。実施例２の眼鏡レンズは、外面１が球面、内面２が回転対称非球面である。実施例２の眼鏡レンズの諸元を表４に示す。
【００３８】
【表４】
頂点屈折力[D]          +6.00
外面曲率[D]             7.73
内面近軸曲率[D]        -1.16
中心厚[mm]             5.70
縁厚  [mm]             1.00
外面突出量[mm]         4.82
Ｃ2(0)[D]               -1.158
Ｃ2(h)[D] (20≦h≦35)   1.588〜2.614
ｚ2(35)[mm]            0.123
dz2(35)/dｈ             0.033
【００３９】
図４(Ｂ)〜(Ｅ)は、実施例２の眼鏡レンズの形状、性能を示すグラフである。各グラフの定義は図１と同様である。
実施例２のレンズは、表４に示すように、Ｃ2(０)＜０、ｈ＞２０で０＜Ｃ2(ｈ)＜５の２つの条件を満たす。また、図４(Ｂ)に示すように、サグ量ｚ2(ｈ)はｈの増加に伴って一旦減少し、その後増加し、周辺部で正の値をとる。さらに、図４(Ｃ)に示すように、内面の傾きdｚ2(ｈ)/dhはｈの増加に伴って一旦減少し、その後増加し、周辺部で正の値をとる。
実施例２のレンズは、図４(Ｅ)に示すように、視角５０°まで非点収差が良好に補正されている。
【００４０】
【比較例３】
図５(Ａ)は、比較例３の眼鏡レンズを示す。比較例３の眼鏡レンズは、外面１が回転対称非球面、内面２が球面であり、外面突出量が実施例２と同一で、光学性能(非点収差)が実施例２と同等になるよう設計されている。比較例３の眼鏡レンズの諸元を表５に示す。
【００４１】
【表５】
頂点屈折力[D]          +6.00
外面近軸曲率[D]         9.02
内面曲率[D]             0.19
中心厚[mm]             5.71
縁厚  [mm]             1.00
外面突出量[mm]         4.82
Ｃ2(0)[D]                0.189
Ｃ2(h)[D] (20≦h≦35)    0.189
ｚ2(35)[mm]            0.116
dz2(35)/dｈ             0.007
【００４２】
図５(Ｂ)〜(Ｅ)は、比較例３の眼鏡レンズの形状を示すグラフである。各グラフの定義は図２と同様である。比較例３のレンズは、内面２が緩い凹の球面であるため、表５に示すように、ｈ＞２０で０＜Ｃ2(ｈ)＜５の条件は満たしているが、Ｃ2(０)＜０の条件は満たしてない。また、図５(Ｂ)、(Ｃ)に示すように、サグ量ｚ2(ｈ)と内面の傾きdｚ2(ｈ)/dhとはｈの増加に伴って単調に増加する。
【００４３】
【比較例４】
図６(Ａ)は、比較例４の眼鏡レンズを示す。比較例４の眼鏡レンズは、外面１、内面２の両面が回転対称非球面であり、外面突出量が実施例２と同一で、光学性能(非点収差)が実施例２と同等になるよう設計されている。比較例４の眼鏡レンズの諸元を表６に示す。
【００４４】
【表６】
頂点屈折力[D]          +6.00
外面近軸曲率[D]        10.00
内面近軸曲率[D]         1.21
中心厚[mm]             5.72
縁厚  [mm]             1.00
外面突出量[mm]         4.82
Ｃ2(0)[D]                1.208
Ｃ2(h)[D] (20≦h≦35)   -0.871〜-3.983
ｚ2(35)[mm]            0.099
dz2(35)/dｈ            -0.026
【００４５】
図６(Ｂ)〜(Ｅ)は、比較例４の眼鏡レンズの形状を示すグラフである。各グラフの定義は図２と同様である。比較例４のレンズは、表６に示すように、Ｃ2(０)＜０の条件、ｈ＞２０で０＜Ｃ2(ｈ)＜５の条件をいずれも満たしてない。また、図６(Ｂ)、(Ｃ)に示すように、サグ量ｚ2(ｈ)と内面の傾きdｚ2(ｈ)/dhとはｈの増加に伴って一旦増加し、その後減少している。
【００４６】
同一の頂点屈折力+6.00について同一の外面突出量、光学性能を有する実施例２、比較例３，比較例４のサグ量、内面の傾き、内面の曲率について比較する。
図４(Ｂ)、図５(Ｂ)、図６(Ｂ)に示すように、内面２のサグ量ｚ2(h)は実施例２、比較例３では最も外側で最大値をとるため、内面２を下にして平面の台に置いた場合にも有効径部分に傷がつきにくいが、比較例４のレンズはｈ＝２６の部分で最大値をとるため、内面を下にして置くとこの部分が台に触れ、有効径部分に傷がつきやすい。
【００４７】
また、図４(Ｃ)、図５(Ｃ)、図６(Ｃ)に示すように、内面２の周辺部の傾きは、実施例２が最も大きい値をとるため、実施例２のレンズの装用時には背後から入射して内面２で反射した光が眼に入りにくい。比較例３は傾きが緩いため、実施例２よりは背後からの光が眼に入りやすく、比較例４は傾きが周辺部で負の値をとるため、背後からの光が最も眼に入りやすい。
【００４８】
さらに、図４(Ｄ)、図５(Ｄ)、図６(Ｄ)に示すように、内面２の周辺部の曲率Ｃ2(h)は、実施例２が最も大きい値をとるため、実施例２のレンズの装用時には背後から入射して内面で反射した光が眼に入ったとしても、眼の調節可能な視度内に反射像ができにくい。比較例３も曲率が正の値をとるため、視度範囲内に反射像はできにくい。これに対して、比較例４は周辺部で曲率Ｃ2(h)が負の値をとるため、視度範囲内に反射像ができやすい。なお、中心厚は、実施例２が最も小さい。
【００４９】
【発明の効果】
以上説明したように、この発明によれば、浅いベースカーブを用いて外面の突出量を小さく抑えることができ、かつ、光学性能を良好な正の屈折力を有する非球面眼鏡レンズを提供することができる。また、この発明の構成によれば、装用時に背後から入射して内面で反射した光が眼に入りにくくなり、かつ、反射光が眼に入ったとしても、眼の調節可能な視度内に反射像ができにくくなる。
【図面の簡単な説明】
【図１】  実施例１の眼鏡レンズを示し、(Ａ)はレンズの断面図、(Ｂ）は内面のサグ量を示すグラフ、(Ｃ)は内面の傾きを示すグラフ、(Ｄ)は内面の曲率を示すグラフ、(Ｅ)は非点収差を示すグラフである。
【図２】  比較例１の眼鏡レンズを示し、(Ａ)はレンズの断面図、(Ｂ）は内面のサグ量を示すグラフ、(Ｃ)は内面の傾きを示すグラフ、(Ｄ)は内面の曲率を示すグラフ、(Ｅ)は外面の曲率を示すグラフである。
【図３】  比較例２の眼鏡レンズを示し、(Ａ)はレンズの断面図、(Ｂ）は内面のサグ量を示すグラフ、(Ｃ)は内面の傾きを示すグラフ、(Ｄ)は内面の曲率を示すグラフ、(Ｅ)は外面の曲率を示すグラフである。
【図４】  実施例２の眼鏡レンズを示し、(Ａ)はレンズの断面図、(Ｂ）は内面のサグ量を示すグラフ、(Ｃ)は内面の傾きを示すグラフ、(Ｄ)は内面の曲率を示すグラフ、(Ｅ)は非点収差を示すグラフである。
【図５】  比較例３の眼鏡レンズを示し、(Ａ)はレンズの断面図、(Ｂ）は内面のサグ量を示すグラフ、(Ｃ)は内面の傾きを示すグラフ、(Ｄ)は内面の曲率を示すグラフ、(Ｅ)は外面の曲率を示すグラフである。
【図６】  比較例４の眼鏡レンズを示し、(Ａ)はレンズの断面図、(Ｂ）は内面のサグ量を示すグラフ、(Ｃ)は内面の傾きを示すグラフ、(Ｄ)は内面の曲率を示すグラフ、(Ｅ)は外面の曲率を示すグラフである。
【符号の説明】
１    外面
２    内面
３    光学中心
【図１】
0004030778.tif 000002
【図２】
0004030778.tif 000003
【図３】
0004030778.tif 000004
【図４】
0004030778.tif 000005
【図５】
0004030778.tif 000006
【図６】
0004030778.tif 000007